(57)【要約】液体容器の蓋体の一部を成すとともに、押し下げにより一定量の液体を容器本体内から汲み上げる押し下げ式液体ポンプにおいて、押し下げ部の押し下げ量を規制するストッパをポンプ押し下げ部の移動空間中にその移動量を最大移動量から移動不能位置までの間で調整することができるよう移動可能に備えることにより、押し下げ部の押し下げ量に応じた定量が計量されて分配されるようにした。
2003048002.tif 000002
【特許請求の範囲】
【請求項１】
液体容器の蓋体の一部を成すとともに、ポンプヘッドの押し下げにより一定量の液体を容器本体内から分配排出させる押し下げ式液体ポンプにおいて、ポンプヘッドの押し下げ量を規制する手段を当該ポンプヘッドの押し下げ量がゼロから最大までの間で調整することができるように、ポンプヘッドを押し下げた際に押し下げられるポンプヘッド及びこれと一体で下降する可動部材に移動可能に備え、ポンプヘッドの押し下げ量に応じた一定量が計量されて分配排出されることを特徴とする吐出量の調整が可能な定量計量機能を備えたポンプ。
【請求項２】
ポンプヘッドの押し下げ量規制手段が、ポンプヘッドにその下端が下方に伸縮可能となる自在伸縮手段を備え、当該自在伸縮手段によりポンプヘッドの下端の下降量に応じてポンプヘッドの押し下げ量がゼロから最大までの間で調整されるものであることを特徴とする請求項１に記載の吐出量の調整が可能な定量計量機能を備えたポンプ。
【請求項３】
ポンプヘッドの押し下げ量規制手段が、ポンプヘッドとポンプシリンダ内のピストンを連接する連接管に、ポンプヘッドが押し下げられた際に当該連接管がポンプシリンダ内に進入する量を規制するストッパを移動可能に備え、当該ストッパ位置により連接管の進入量に応じてポンプヘッドの押し下げ量がゼロから最大までの間で調整されるものであることを特徴とする請求項１に記載の吐出量の調整が可能な定量計量機能を備えたポンプ。
【請求項４】
上記ポンプヘッドの押し下げ量規制手段における押し下げ量調整機構が、移動可能なストッパとその支持部材とをネジで螺合することにより無段階に調整可能とした請求項１乃至３のいずれかに記載の吐出量の調整が可能な定量計量機能を備えたポンプ。
【請求項５】
上記ストッパを回動自在に支持する部材の所望位置の外周上に、その外周を任意に分割した位置に被係合部を設け、当該ストッパにはこの被係合部に係合する係合手段を設け、当該ストッパの回動に節度感を付与してなる請求項４に記載の吐出量の調整が可能な定量計量機能を備えたポンプ。
【請求項６】
上記ポンプヘッドの押し下げ量規制手段における押し下げ量調整機構が、移動可能なストッパとその支持部材にそれぞれ櫛状の溝と当該溝に係合するとともに当該溝内を移動可能な突起のいずれかを相互に対になるように備え、当該突起を櫛状の溝の突起固定位置に係合させることによりストッパを段階的に移動せしめて調整するものである請求項１乃至３のいずれかに記載の吐出量の調整が可能な定量計量機能を備えたポンプ。
【請求項７】
上記ポンプヘッドの押し下げ量規制手段における押し下げ量調整機構が、移動可能なストッパとその支持部材にそれぞれ突条と当該突条に係合する条溝列のいずれかを相互に対になるように備え、当該突条を条溝列の任意の条溝に係合させることによりストッパを段階的に移動せしめて調整するものである請求項１乃至３のいずれかに記載の吐出量の調整が可能な定量計量機能を備えたポンプ。
【請求項８】
上記ポンプヘッドの押し下げ量規制手段における押し下げ量調整機構が、ストッパ支持部材に条溝列を設けるとともに、移動可能なストッパに当該条溝列に係合する係合手段を設け、当該係合手段を条溝列の任意の条溝に係合させることによりストッパを段階的に移動せしめて調整するものである請求項１乃至３のいずれかに記載の吐出量の調整が可能な定量計量機能を備えたポンプ。
【請求項９】
上記ストッパが板状に形成されるとともに、上記係合手段が条溝底部の横断面形状に適合する切欠きであり、当該ストッパを任意の条溝に差し込んで係合させるものである請求項８に記載の吐出量の調整が可能な定量計量機能を備えたポンプ。
【請求項１０】
上記ストッパが弾性を備えた素材をもって環状に形成されるとともに、常態でその環状の相対する部分が条溝底部の横断面形状を挟むように構成され、上記係合手段がストッパを弾性変形させることにより条溝への係合・解除を行うものである請求項８に記載の吐出量の調整が可能な定量計量機能を備えたポンプ。
【請求項１１】
上記係合手段が条溝底部の横断面形状を可動式に挟着する構造を備えてなる請求項８に記載の吐出量の調整が可能な定量計量機能を備えたポンプ。
【請求項１２】
上記ポンプヘッドの押し下げ量規制手段における押し下げ量調整機構が、ストッパ支持部材に係合穴列を設けるとともに、移動可能なストッパに当該係合穴に係合する係合手段を設け、当該係合手段を係合穴列の任意の係合穴に係合することによりストッパを段階的に移動せしめて調整するものである請求項１乃至３のいずれかに記載の吐出量の調整が可能な定量計量機能を備えたポンプ。
【請求項１３】
液体容器の蓋体の一部を成すとともに、ポンプヘッドの押し下げにより一定量の液体を容器本体内から分配排出させる押し下げ式液体ポンプにおいて、ポンプヘッドの押し下げ量を規制する手段を当該ポンプヘッドの押し下げ量がゼロから最大までの間で調整することができるように、ポンプヘッドを押し下げた際にポンプヘッドとともに移動しない容器本体固定部材に移動可能に備え、ポンプヘッドの押し下げ量に応じた一定量が計量されて分配排出されることを特徴とする吐出量の調整が可能な定量計量機能を備えたポンプ。
【請求項１４】
ポンプヘッドの押し下げ量規制手段が、容器本体の開口部より立設せしめた筒状体を軸に上下に移動自在なるストッパを設け、当該ストッパの位置に応じてポンプヘッドの押し下げ量がゼロから最大までの間で調整されるものであることを特徴とする請求項１３に記載の吐出量の調整が可能な定量計量機能を備えたポンプ。
【請求項１５】
ポンプヘッドの押し下げ量規制手段が、容器本体の蓋体を軸に上下に移動自在なるストッパを設け、当該ストッパの位置に応じてポンプヘッドの押し下げ量がゼロから最大までの間で調整されるものであることを特徴とする請求項１３に記載の吐出量の調整が可能な定量計量機能を備えたポンプ。
【請求項１６】
ポンプヘッドの押し下げ量規制手段が、容器本体の開口部中央に設けらた筒状部に軸承されてなるとともに上下に移動自在なるストッパを設け、当該ストッパの位置に応じてポンプヘッドの押し下げ量がゼロから最大までの間で調整されるものであることを特徴とする請求項１３に記載の吐出量の調整が可能な定量計量機能を備えたポンプ。
【請求項１７】
上記ポンプヘッドの押し下げ量規制手段における押し下げ量調整機構が、移動可能なストッパとその支持部材とをネジで螺合することにより無段階に調整可能とした請求項１３乃至１６のいずれかに記載の吐出量の調整が可能な定量計量機能を備えたポンプ。
【請求項１８】
上記ストッパを回動自在に支持する部材の所望位置の外周上に、その外周を任意に分割した位置に被係合部を設け、当該ストッパにはこの当該被係合部に係合する係合手段を設け、当該ストッパの回動に節度感を付与してなる請求項１７に記載の吐出量の調整が可能な定量計量機能を備えたポンプ。
【請求項１９】
上記ポンプヘッドの押し下げ量規制手段における押し下げ量調整機構が、移動可能なストッパとその支持部材にそれぞれ櫛状の溝と当該溝に係合するとともに当該溝内を移動可能な突起のいずれかを相互に対になるように備え、当該突起を櫛状の溝の突起固定位置に係合させることによりストッパを段階的に移動せしめて調整するものである請求項１３乃至１６のいずれかに記載の吐出量の調整が可能な定量計量機能を備えたポンプ。
【請求項２０】
上記ポンプヘッドの押し下げ量規制手段における押し下げ量調整機構が、移動可能なストッパとその支持部材にそれぞれ突条と当該突条に係合する条溝列のいずれかを相互に対になるように備え、当該突条を条溝列の任意の条溝に係合させることによりストッパを段階的に移動せしめて調整するものである請求項１３乃至１６のいずれかに記載の吐出量の調整が可能な定量計量機能を備えたポンプ。
【請求項２１】
上記ポンプヘッドの押し下げ量規制手段における押し下げ量調整機構が、ストッパ支持部材に条溝列を設けるとともに移動可能なストッパに当該条溝列に係合する係合手段を設け、当該係合手段を条溝列の任意の条溝に係合させることによりストッパを段階的に移動せしめて調整するものである請求項１３乃至１６のいずれかに記載の吐出量の調整が可能な定量計量機能を備えたポンプ。
【請求項２２】
上記ストッパが板状に形成されるとともに、上記係合手段が条溝底部の横断面形状に適合する切欠きであり、当該ストッパを任意の条溝に差し込んで係合させるものである請求項２１に記載の吐出量の調整が可能な定量計量機能を備えたポンプ。
【請求項２３】
上記ストッパが弾性を備えた素材をもって環状に形成されるとともに、常態でその環状の相対する部分が条溝底部の横断面形状を挟むように構成され、上記係合手段がストッパを弾性変形させることにより条溝への係合・解除を行うものである請求項２１に記載の吐出量の調整が可能な定量計量機能を備えたポンプ。
【請求項２４】
上記係合手段が条溝底部の横断面形状を可動式に挟着する構造を備えてなる請求項２１に記載の吐出量の調整が可能な定量計量機能を備えたポンプ。
【請求項２５】
上記ポンプヘッドの押し下げ量規制手段における押し下げ量調整機構が、ストッパ支持部材に係合穴列を設けるとともに当該係合穴に係合する係合手段を設け、当該係合手段を係合穴列の任意の係合穴に係合することによりストッパを段階的に移動せしめて調整するものである請求項１３乃至１６のいずれかに記載の吐出量の調整が可能な定量計量機能を備えたポンプ。
【請求項２６】
液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッドとピストンを連接する連接管を内包する管状部材の外壁に突設せしめた突起であるとともに、ポンプヘッドにはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものである段階的に吐出量が調整可能な定量計量機能を備えたポンプ。
【請求項２７】
液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッド外筒の外壁に突設せしめた突起であるとともに、容器蓋体から上方に当該ポンプヘッドを挿入せしめる筒状体を設けるとともに当該筒状体にはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものである吐出量が段階的に調整可能な定量計量機能を備えたポンプ。
【請求項２８】
液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッド外筒の内壁に突設せしめた突起であるとともに、容器蓋体から上方に当該ポンプヘッド内に挿入せしめる筒状体を設けるとともに当該筒状体にはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものである吐出量が段階的に調整可能な定量計量機能を備えたポンプ。
【請求項２９】
液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッド内筒の外壁に突設せしめた突起であるとともに、容器蓋体から上方に当該ポンプヘッド内に挿入せしめる筒状体を設けるとともに当該筒状体にはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものである吐出量が段階的に調整可能な定量計量機能を備えたポンプ。
【発明の詳細な説明】
技術分野
この発明は、液体容器から一定量を計量して分配する手押しポンプにおいて、特にその計量する量を任意に設定可能な吐出量の調整が可能な定量計量機能を備えたポンプに関するものである。
技術背景
昨今、シャンプーや洗剤の容器として、手押し型のポンプを蓋の一部として構成するポンプ付き液体容器が普及している。そのポンプの細かな構成は様々であるが、基本的には、シリンダ内に手押し部から連接棒で繋がれたピストンの上下に２つの逆止弁を備え、また、ピストンにはバネ等の押し戻し手段が設けられているものが基本的な構造である。
その作用は手押し部を押し下げるとピストンがシリンダ内を下降し、そのためにシリンダ内のピストン下側の内圧が上昇することにより吸入（容器）側の逆止弁を閉じるとともに排出側の逆止弁が開き吐出口から液体が排出されるものである。そして押し戻しバネによりピストンが押し上げられる際には、排出側の逆止弁が閉じるとともに吸入側の逆止弁が開き、シリンダ内のピストン下側に生じた負圧により容器内から液体が吸い上げられシリンダ内に充填せしめられ、次の排出行程に備えるようになっている。そしてこの種のポンプ式の容器は、主に定量吐出が簡便であり、また従来のチューブ式容器やポンプを備えない液体容器に比べて容量を大きくすることが可能であるとともに片手でも取り出しやすいという理由で普及した。
しかしながら、従来以下のような問題があった。
一つには設計上定めた１回のピストンストロークによる分配量（吐出量）を変更することができなかった。構造上はピストンの押し下げ量を加減すれば設計上の分配量を下回る量を分配することも不可能ではないが、常に一定量を正確に分配することは不可能であった。
二つ目として、ポンプ式容器は必ずしも大容量容器とは限らず、化粧品等への用途を中心としてきわめて小容量の容器にも採用されており、そのような容器は日常携帯されることも少なくない。
ところが、従来のポンプでは常態が排出スタンバイ状態であり、押し下げ部を押し込んだ瞬間にシリンダ内に予め蓄えられていた内容物が吐出してしまうというものであった。これは不本意な吐出となり、周囲を汚染したりするばかりか、その１回の吐出分が無駄となってしまっていた。また、流通過程において不用意に押し下げ部が押し込まれてしまう可能性もあり、問題とされていた。
そこでこれらの問題点を解決すべく従来は以下のような提案がなされていた。
前者においては、例えば実開平５−９４１４８号公報に記載の考案（以下先行技術１）がある。これはポンプのノブに設けた突起とホルダーの内側に階段状に形成した部材によってポンプのスクイズ幅（ストローク量）を数段階に設定していて、吐出量をある程度切り替えることができるようになっている。
しかしながら、当該先行技術１は階段状の段に合わせてノブ（ポンプヘッド）を回転させるのであるが、所定の位置でノブの回転を規制する手段を持っていない。したがって、手でノブを押し込むのであるが、力の入れ方（方向）によってはノブが回転してしまい所望の段から外れてしまう危険性がある。したがって当該先行技術１によっては上記後者の問題点は解決することはできない。
また、実開昭６１−９０７５４号公報に掲載の考案（以下先行技術２）は、対向する傾斜板と傾斜突起の組み合わせを備えたスポイトである。これによれば、傾斜板と傾斜突起を回動可能に設け、両者の突き当て間での距離を変更することにより液体の吸引量を変更できるようにしている。傾斜同士であるから突き当て状態では相互に斜面を滑り落ちるように回動してしまうが、これを縦条と切り欠きの係合によって昇降自在かつ回動不能に構成している。
しかしながら作用体の回動を規制するガイド筒が組み立て筒に対して回動可能に構成されているために、結果的に傾斜板と傾斜突起の回動不能機能は作用体の押し下げ力の大きさによっては機能しない事となるので正確な計量は行えないことになる。また、計量する量の変更は作用体を押し下げて回動させる構造であるので、押し下げで内容物が吐出してしまうような構造には適用することができない。あくまでスポイトであるからこそ適用することができた技術である。そしてまた、当該先行技術２によっても上記後者の問題点は解決することができない。
一方後者の問題解決手段としては、まずポンプヘッドの固定手段としては、第６２図に示すようにポンプヘッドの下部等にネジを形成し、ポンプヘッドを押し込んだ状態でシリンダ上部にねじ込んで固定する方法が一般的であるが、これは工場出荷時にはポンプを押し込んだ状態で容器本体に組み付けるため流通過程では有効な方法であると言える。
しかしながら、一度使用してしまうとポンプヘッドは上昇した位置が常態となるので、これを未使用時と同じ下降した位置でロックするためには一度内容物を排出しなければならない。そこで流通過程においてもポンプヘッドが上昇した位置を常態とするための方法としては、特開２００１−１８０７７４号公報に記載の発明のようにポンプヘッド下の頚部にクリップ式のスリーブを嵌め込みポンプヘッドの下降を禁止する手法が提案された。この方法では、シリンダ内に溜まっている内容物を排出することなくポンプヘッドの下降をロックすることができる。しかしながら、かかる方法では当該スリーブを紛失し易いという問題があった。
以上のように従来技術では上記両問題点を同時に解決することはできなかった。
そこでこの発明の吐出量の調整が可能な定量計量機能を備えたポンプは、上記従来の問題点を解決するとともに、計量する量の自由な変更とその確実な維持及びポンプヘッドの確実な固定を両立させたきわめて利用度・汎用性の高いポンプを提供するものである。
発明の開示
すなわちこの発明の吐出量の調整が可能な定量計量機能を備えたポンプは以下の特徴を有するものである。
（１）液体容器の蓋体の一部を成すとともに、ポンプヘッドの押し下げにより一定量の液体を容器本体内から分配排出させる押し下げ式液体ポンプにおいて、ポンプヘッドの押し下げ量を規制する手段を当該ポンプヘッドの押し下げ量がゼロから最大までの間で調整することができるように、ポンプヘッドを押し下げた際に押し下げられるポンプヘッド及びこれと一体で下降する可動部材に移動可能に備え、ポンプヘッドの押し下げ量に応じた一定量が計量されて分配排出されること。
（２）ポンプヘッドの押し下げ量規制手段が、ポンプヘッドにその下端が下方に伸縮可能となる自在伸縮手段を備え、当該自在伸縮手段によりポンプヘッドの下端の下降量に応じてポンプヘッドの押し下げ量がゼロから最大までの間で調整されるものであること。
（３）ポンプヘッドの押し下げ量規制手段が、ポンプヘッドとポンプシリンダ内のピストンを連接する連接管に、ポンプヘッドが押し下げられた際に当該連接管がポンプシリンダ内に進入する量を規制するストッパを移動可能に備え、当該ストッパ位置により連接管の進入量に応じてポンプヘッドの押し下げ量がゼロから最大までの間で調整されるものであること。
（４）上記ポンプヘッドの押し下げ量規制手段における押し下げ量調整機構が、移動可能なストッパとその支持部材とをネジで螺合することにより無段階に調整可能であること。
（５）上記ストッパを回動自在に支持する部材の所望位置の外周上に、その外周を任意に分割した位置に被係合部を設け、当該ストッパにはこの被係合部に係合する係合手段を設け、当該ストッパの回動に節度感を付与してなること。
（６）上記ポンプヘッドの押し下げ量規制手段における押し下げ量調整機構が、移動可能なストッパとその支持部材にそれぞれ櫛状の溝と当該溝に係合するとともに当該溝内を移動可能な突起のいずれかを相互に対になるように備え、当該突起を櫛状の溝の突起固定位置に係合させることによりストッパを段階的に移動せしめて調整するものであること。
（７）上記ポンプヘッドの押し下げ量規制手段における押し下げ量調整機構が、移動可能なストッパとその支持部材にそれぞれ突条と当該突条に係合する条溝列のいずれかを相互に対になるように備え、当該突条を条溝列の任意の条溝に係合させることによりストッパを段階的に移動せしめて調整するものであること。
（８）上記ポンプヘッドの押し下げ量規制手段における押し下げ量調整機構が、ストッパ支持部材に条溝列を設けるとともに、移動可能なストッパに当該条溝列に係合する係合手段を設け、当該係合手段を条溝列の任意の条溝に係合させることによりストッパを段階的に移動せしめて調整するものであること。
（９）上記ストッパが板状に形成されるとともに、上記係合手段が条溝底部の横断面形状に適合する切欠きであり、当該ストッパを任意の条溝に差し込んで係合させるものであること。
（１０）上記ストッパが弾性を備えた素材をもって環状に形成されるとともに、常態でその環状の相対する部分が条溝底部の横断面形状を挟むように構成され、上記係合手段がストッパを弾性変形させることにより条溝への係合・解除を行うものであること。
（１１）上記係合手段が条溝底部の横断面形状を可動式に挟着する構造を備えていること。
（１２）上記ポンプヘッドの押し下げ量規制手段における押し下げ量調整機構が、ストッパ支持部材に係合穴列を設けるとともに、移動可能なストッパに当該係合穴に係合する係合手段を設け、当該係合手段を係合穴列の任意の係合穴に係合することによりストッパを段階的に移動せしめて調整するものであること。
（１３）液体容器の蓋体の一部を成すとともに、ポンプヘッドの押し下げにより一定量の液体を容器本体内から分配排出させる押し下げ式液体ポンプにおいて、ポンプヘッドの押し下げ量を規制する手段を当該ポンプヘッドの押し下げ量がゼロから最大までの間で調整することができるように、ポンプヘッドを押し下げた際にポンプヘッドとともに移動しない容器本体固定部材に移動可能に備え、ポンプヘッドの押し下げ量に応じた一定量が計量されて分配排出されること。
（１４）ポンプヘッドの押し下げ量規制手段が、容器本体の開口部より立設せしめた筒状体を軸に上下に移動自在なるストッパを設け、当該ストッパの位置に応じてポンプヘッドの押し下げ量がゼロから最大までの間で調整されるものであること。
（１５）ポンプヘッドの押し下げ量規制手段が、容器本体の蓋体を軸に上下に移動自在なるストッパを設け、当該ストッパの位置に応じてポンプヘッドの押し下げ量がゼロから最大までの間で調整されるものであること。
（１６）ポンプヘッドの押し下げ量規制手段が、容器本体の開口部中央に設けらた筒状部に軸承されてなるとともに上下に移動自在なるストッパを設け、当該ストッパの位置に応じてポンプヘッドの押し下げ量がゼロから最大までの間で調整されるものであること。
（１７）上記ポンプヘッドの押し下げ量規制手段における押し下げ量調整機構が、移動可能なストッパとその支持部材とをネジで螺合することにより無段階に調整可能としたこと。
（１８）上記ストッパを回動自在に支持する部材の所望位置の外周上に、その外周を任意に分割した位置に被係合部を設け、当該ストッパにはこの当該被係合部に係合する係合手段を設け、当該ストッパの回動に節度感を付与したこと。
（１９）上記ポンプヘッドの押し下げ量規制手段における押し下げ量調整機構が、移動可能なストッパとその支持部材にそれぞれ櫛状の溝と当該溝に係合するとともに当該溝内を移動可能な突起のいずれかを相互に対になるように備え、当該突起を櫛状の溝の突起固定位置に係合させることによりストッパを段階的に移動せしめて調整するものであること。
（２０）上記ポンプヘッドの押し下げ量規制手段における押し下げ量調整機構が、移動可能なストッパとその支持部材にそれぞれ突条と当該突条に係合する条溝列のいずれかを相互に対になるように備え、当該突条を条溝列の任意の条溝に係合させることによりストッパを段階的に移動せしめて調整するものであること。
（２１）上記ポンプヘッドの押し下げ量規制手段における押し下げ量調整機構が、ストッパ支持部材に条溝列を設けるとともに移動可能なストッパに当該条溝列に係合する係合手段を設け、当該係合手段を条溝列の任意の条溝に係合させることによりストッパを段階的に移動せしめて調整するものであること。
（２２）上記ストッパが板状に形成されるとともに、上記係合手段が条溝底部の横断面形状に適合する切欠きであり、当該ストッパを任意の条溝に差し込んで係合させるものであること。
（２３）上記ストッパが弾性を備えた素材をもって環状に形成されるとともに、常態でその環状の相対する部分が条溝底部の横断面形状を挟むように構成され、上記係合手段がストッパを弾性変形させることにより条溝への係合・解除を行うものであること。
（２４）上記係合手段が条溝底部の横断面形状を可動式に挟着する構造を備えたこと。
（２５）上記ポンプヘッドの押し下げ量規制手段における押し下げ量調整機構が、ストッパ支持部材に係合穴列を設けるとともに当該係合穴に係合する係合手段を設け、当該係合手段を係合穴列の任意の係合穴に係合することによりストッパを段階的に移動せしめて調整するものであること。
（２６）液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッドとピストンを連接する連接管を内包する管状部材の外壁に突設せしめた突起であるとともに、ポンプヘッドにはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものであること。
（２７）液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッド外筒の外壁に突設せしめた突起であるとともに、容器蓋体から上方に当該ポンプヘッドを挿入せしめる筒状体を設けるとともに当該筒状体にはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものであること。
（２８）液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッド外筒の内壁に突設せしめた突起であるとともに、容器蓋体から上方に当該ポンプヘッド内に挿入せしめる筒状体を設けるとともに当該筒状体にはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものであること。
（２９）液体容器の蓋体の一部を成すとともに、押し下げにより一定量の液体を容器本体内から汲み上げる押し下げ式液体ポンプであって、押し下げ部の押し下げ量を規制するストッパをポンプ押し下げ部の移動空間内にその移動量を最大移動量から移動不能位置までの間で段階的に調整することができるよう移動可能に備えることにより、押し下げ部の押し下げ量に応じた定量が計量されて分配されることを特徴とする段階的に調整可能な定量計量機能を備えたポンプにおいて、上記ストッパは、ポンプヘッド内筒の外壁に突設せしめた突起であるとともに、容器蓋体から上方に当該ポンプヘッド内に挿入せしめる筒状体を設けるとともに当該筒状体にはその上下方向に当該突起が係合し摺動する異なる長さの複数の縦溝を設けてなり、ポンプヘッドを回転させて当該突起と所望縦溝とを位置合わせしてポンプヘッドを押し下げると当該縦溝の長さに応じてポンプヘッドのストローク量を規制するものであること。
発明を実施するための最良の状態
以下にこの発明の吐出量の調整が可能な定量計量機能を備えたポンプ（以下、このポンプ）の実施の形態について詳述する。
【実施例１】
第１図及び第２図はこのポンプの第１の実施例を示すものである。第１図はこのポンプ１を備えた液体容器２の正面図である。ポンプヘッド３の押し下げ量を規制するストッパ４は部分的に切り取って図示している。第２図は中央縦断面図である。
第１図及び第２図に示すように、液体容器２はびん型の容器本体５の上部開口６にキャップ部材７と一体化したポンプ１が蓋体として設けられている。容器本体５は、ポリプロピレン等の軟質樹脂素材が広く用いられているが、硬質樹脂、ガラス等の素材で形成されていてもよく、その素材は限定されず、一般に流通している容器を適宜選択することができる。
このポンプ１は、液体容器２の蓋体の一部を成すとともに、押し下げにより一定量の液体をポンプ本体内から吐出口８に圧送し、戻る際に容器本体５内から汲み上げるという押し下げ式液体ポンプの容器内容物の排出機能自体に関してはきわめて一般的な構造によるものであり、この発明は当該ポンプ形式には依存しない。シリンダ９は上端に容器本体５の開口部６に戴置されるためのフランジ部１０を備えるとともに複数の直径の筒状体を直列に配列させたような下つぼまりの形状を呈しており、その先端１１には容器本体５の底部から内容物を吸い上げるための吸入管１２が挿入されている。シリンダ９内には最下部の最も小さい直径の管１３を塞ぐようにチェックボール１４があり、それを上から押さえつけるようにスプリング１５が挿入されている。そしてそのスプリング１５の上にシール部材１６を回巻きせしめたピストン１７が戴置されている。そのピストン１７は上端から中空の連接管１８が上方に延伸しており、その先端にポンプヘッド３が嵌め込まれている。ポンプヘッド３は外筒１９と内筒２０及び吐出管２１とで構成されていて、連接管１８はこの内筒２０に挿入されている。シリンダ９上部には中空の部材からなる筒状部材２２が挿入されている。この筒状部材２２は蓋体上面からシリンダ９内に水等が入り込まないようにするためのバリケード機能や下端でピストンの上昇ストッパなどの機能を備える他、場合によっては上記連接管１８やポンプヘッド３の押し下げの際にぶれないようにガイドの機能を果たすものである。
そして上記チェックボール１４はピストン１７が上下動した際の吸入側の逆止弁として、また、ピストン１７のシール部材１６は排出側の逆止弁として機能するものである。スプリング１５は、チェックボール１４を下方に押さえつけるとともにピストン１７を上方に押し戻すためのリターンスプリングを兼ねている。
このように構成されたポンプ本体１はシリンダ９上端のフランジ部１０が容器本体５の開口部上端６に戴置され、上記筒状部材２２のフランジ部１０とともにキャップ部材７で容器本体５に図示しないネジで固定される。
このような構成により、ポンプヘッド３を手で押し下げることにより吸入側の逆止弁が閉じられてシリンダ９内ピストン１７下の内圧が上昇し、シール部材１６の内側をすり抜けて連接管１８の内部を通過してポンプヘッド内筒２０及び吐出管２１内を通って吐出口８から排出される。そしてポンプヘッド３から手を離すとポンプヘッド３はリターンスプリング１５により上方に押し戻されるが、このときシリンダ９内ピストン１７下の内圧は負圧となり、排出側の逆止弁であるピストン１７のシール部材１６が閉じるとともに吸入側の逆止弁であるチェックボール１４がスプリング力に抗して上昇し、空いた隙間から容器内の内容物がシリンダ９内に流入する。そして次のポンプヘッド３の押し下げに備えシリンダ９内に内容物が充填される。シリンダ９内に内容物が充填されるとチェックボール１４はリターンスプリング１５の押さえつけ力に抗し切れなくなり、再び吸入口を塞ぐ。
このポンプ１についての容器内容物排出方法については上記のものは一例であり、基本的にシリンダ内にピストンがあり、ピストンを挟むように２つの逆止弁を備え、ピストンの往復移動によりその移動方向に内容物が流れるタイプのポンプであればいかなる構造のポンプであってもよい。
このポンプ１においては、ポンプヘッド３の下端付近の外周に雄ネジ２４を設け、これと螺合する雌ネジ２５を内周に備えた筒状のストッパ４が同心に設けられている。ストッパ４を回転させることによりポンプヘッド３の全長Ｈが下方に伸縮自在となる構成であり、第３図（ｂ）に示すようにストッパ４の下端２６が、ポンプヘッド３の下端２７とこの下端２７がポンプヘッド３を押し下げた際に突き当たるキャップ部材７の上面２８の間の範囲内で位置決めされて押し下げ量Ｌが無段階に設定される。そしてポンプヘッド３を押し下げた際にストッパ４の下端２６がキャップ部材７の上面２８に突き当たって押し下げが規制される。吐出量は１滴から最大吐出量まで無段階に自由に設定することができる。ただし最大量排出の際はポンプヘッド３の下端２７が突き当たる場合もある。第１図中２９は目盛である。
なお、ここで用いられるネジは、このポンプ１の全ての実施例において四角ネジを採用しているが、三角ネジでもよく、滑らかに回動しかつがたつきの少ない精度の高いネジであればその種別を問うものではない。
この実施例におけるポンプ１の使用に際しては、ピストンヘッド３を手で持って固定しながらストッパ４を回転させてその上端３０をポンプヘッド３に設けた目盛り２９に合わせた後、ポンプヘッド３をピストン４の下端２６がキャップ部材７の上面２８に突き当たるまで（押し下げ量Ｌ）押し下げればよい。
第３図はそれぞれ（ａ）はポンプヘッド固定位置、（ｂ）は最大吐出量位置にストッパ４をセットした状態である。
このようにこの実施例ではポンプヘッド３に加工を施すのみで、従来のこの種ポンプに簡単に適用することが可能となる。ストッパ４の形状は第１図乃至第３図に示すように内径に雌ネジを設けた単純な筒状体でもあるいは連接管１８を貫通せしめた底部平面を備えるものでも良い。
また、第４図に示すようにストッパ４の下部に更にキャップ部材７を被覆する程度の大きな径の筒状部３１を設けた形としても良い。この場合のポンプヘッド３の移動量Ｌの規制は、ポンプヘッド３から延伸した筒状部の下端（第４図においては２つの直径の筒状部を連結する平面部３２の下面３３がキャップ部材７の上面２８に突き当たることで行っている。この実施例では目盛２９をキャップ部材７の側面に設けている。
この場合におけるポンプ１の使用に際しては、ストッパ４を回転させてその下端２６をキャップ部材７に設けた目盛２９に合わせた後、ポンプヘッド３をストッパの平面部３２の下面３３がキャップ部材７の上面２８に突き当たるまで（押し下げ量Ｌ）押し下げればよい。
【実施例２】
第５図乃至第９図はこのポンプの第２の実施例を示しており、第５図は最大吐出量位置にストッパ４をセットした場合の要部正面図、第６図（ａ）はその場合のポンプヘッド３の一部縦断面図及び（ｂ）はピストンヘッド固定位置にストッパ４をセットした場合のピストンヘッド３の一部縦断面図である。
第５図及び第６図に示すように、この実施例ではストッパ４をポンプヘッド３内に装着している。ポンプヘッド３は外筒１９の下部内周に雌ネジ２５が形成されている。内筒２０には連接管１８が差し込まれる。そしてこの雌ネジ２５に螺合する雄ネジ２４を備えたストッパ４がポンプヘッド３内に収納されている。ストッパ４は雄ネジ２４を外周に備えた筒状体の下端にフランジ部１０を設けていて、吐出量調整のつまみとしている。ストッパ４の下端２６がポンプヘッド３の下端２７とキャップ部材７の上面２８の間の範囲内で位置決めされて押し下げ量Ｌが無段階に設定される。目盛２９は、第５図ではポンプヘッド３に設け、指針３６をストッパ４のフランジ部１０の側面に設けているが、この逆の構成としても良いことはもちろんである。
なお、第７図に示すようにフランジ部１０の外縁を上方に立ち上げて縦断面がカップ状になるように形成し、ポンプヘッド３の下部を内側と外側で挟み込んで被覆するように構成することもできる。この場合は目盛２９を上記実施例１と同様にポンプヘッド３の側面に設けることができる。
また第８図の場合においてフランジ部１０には、（ａ）に示すように指を引っかけるための突起３７を外周に設けたり、（ｂ）に示すように多角形として回動させる際に指が掛かりやすいようにするとよい。さらに、上記筒状部材２２の上部筒状部がない場合もあり、その場合は第９図に示すようにフランジ部１０に連接管１８が貫通する貫通穴３８を備えるように構成してもよい。
この実施例におけるポンプ１の使用に際しては、ピストンヘッド３を手で持って固定しながらフランジ部１０をつまんでストッパ４を回転させ、その指針３６をピストンヘッド３に設けた目盛り２９に合わせた後、ポンプヘッド３をストッパ４の下端２６がキャップ部材７の上面２８に突き当たるまで（押し下げ量Ｌ）押し下げればよい。
【実施例３】
第１０図はこのポンプの第３の実施例を示しており、それぞれ（ａ）はポンプヘッド固定位置、（ｂ）は最大吐出量位置にストッパ４をセットした状態である。
この実施例では、連接管１８の外周に雄ネジ２４が形成されており、この連接管１８の雄ネジ２４に螺合する雌ネジ２５を内径に備えるとともに上面に平面部３２を備えたストッパ４を使用している。第１０図ではこの平面部３２の外縁にキャップ部材６を被覆するように筒状部３１を設け、目盛２９をキャップ部材７に設けている。ストッパ４の平面部３２がポンプヘッド３の下端２７とキャップ部材７の上面２８の間の範囲内で位置決めされて押し下げ量Ｌが無段階に設定される。
また、本実施例においてはポンプヘッド３と連接管１８とは相互に回動しないようにピストンヘッド３の内筒２０と連接管１８との係合を工夫することが必要である。例えば内筒２０及び連接管１８の上端嵌め合い部の横断面形状を多角形にすることは好適である。
この実施例におけるポンプ１の使用に際しては、ピストンヘッド３を手で持って固定しながらストッパ４を回転させてその下端２６をキャップ部材７に設けた目盛２９に合わせた後、ポンプヘッド３をストッパ４の平面部３２の下面３３がキャップ部材７の上面２８に突き当たるまで（押し下げ量Ｌ）押し下げればよい。
なお、この場合において、ストッパのネジ部を平面部３２よりも上方に設けても良い。
以上実施例１乃至３に示すように、上記ポンプヘッド３の押し下げ量規制手段における調整機構がその固定部であるポンプヘッド３と移動部であるストッパ４とをネジで螺合することにより位置決めが無段階に調整可能となっている。ストッパ４がポンプヘッド３の移動時に容易に回動しないようにネジの寸法は回転が硬くならない程度のきつさに設計すると良い。
【実施例４】
第１１図はこのポンプ１の第４の実施例を示しており、それぞれ（ａ）は一部をカットした要部正面図、（ｂ）はＡＡ断面図である。なお、第１１図においては、筒状部材２２は省略している。
上記実施例ではネジによって固定位置から最大吐出量位置までを無段階に調整することができるものであるが、この実施例ではその調整においてストッパ４の回転に節度感を持たせるための構成を備えたものである。第１１図に示すようにポンプヘッド３の外周に設けたねじ山の頂部３９をネジの条のほぼ全域に渡って均等割りし、そこに被係合部として窪み（ノッチ）４０を設けている。ストッパ４の雌ネジ部２５近傍には前記被係合部４０に係合する係合手段としてボール４１が設けられていて、弾性部材としてスプリング４２によりこのねじ山の頂部３９に押し当てられている。そしてストッパ４を回転させたときにこのボール４１が上記窪み４０に係合してストッパ４の回転に節度感が生まれる。より良好な節度感と精度を確保するためにはボール４１の球面と窪み４０の寸法をガタのない程度に決定すればよい。そうすることによりカチッカチッいう小気味良い使用感が得られる上、完全な無段階調整ではなく計量する量を予め任意に設定することが必要な場合には好適な手段となる。したがって、ストッパの調整手段としてネジを用いた無段階調整の場合には以下の実施例にも採用することができる。
【実施例５】
第１２図乃至第１４図はこのポンプの第５の実施例を示すものであり、第１２図において（ａ）は要部正面図及び（ｂ）はその中央縦断面図である。ストッパ４は上記第２実施例と同様にポンプヘッド３内に装着されるようになっている。ストッパ４には櫛状の溝４３が設けられていて、またポンプヘッド３には外筒１９の内側にこの溝４３に係合する突起４４が内側に向いて設けられている。櫛状の溝４３は第１３図に示すように突起４４が嵌り合う嵌合部４５がストッパ４の縦方向に並列して設けられるとともに、これら嵌合部４５を連結する連結溝４６とで形成されている。突起４４はこの連結溝４６内をスライドさせて所望位置の嵌合部４５に適合せしめられる。嵌合部４５はその入り口付近の幅が若干絞られて、突起４４を押し込むように形成しておけば突起４４が嵌合部４５から外れ難くなるとともに節度感が生じて使いやすくなる。
第１４図は本実施例におけるこのポンプの作用を示すものである。第１４図において（ａ）はストッパ４を最下降させた状態でポンプヘッド３の固定状態を示し、（ｂ）（ｃ）（ｄ）はそれぞれ吐出状態を示しており、（ｄ）は最大吐出量にストッパ４をセットした状態である。また図中の水滴の大きさは吐出量の大きさを模式的に表したものである。
本実施例におけるこのポンプ１の使用に際しては、ピストンヘッド３を手で持って固定しながらストッパ４を回転させて突起４４が連結溝４６内を自由にスライドする位置にし、ストッパ４がポンプヘッド３内から突出する量を選択するとともに突起嵌合部４５との適合位置に合わせたらストッパ４を回転させて突起４４を嵌合部４５に押し込み固定する。そしてポンプヘッド３を押し下げればよい。ストッパ４の下端２６がキャップ部材７の上面２８に突き当たるまで（押し下げ量Ｌ）押し下げて内容物を吐出させる。
なお、櫛状の溝４３と突起４４は相対する位置に２対設けておくとストッパ４の係止状態が安定する。
また、櫛状の溝４３と突起４４は上記ではピストンヘッド３に突起４４を設け、ストッパ４に櫛状の溝４３を設けたが、この逆にピストンヘッド３に櫛状の溝４３をストッパ４に突起４４を設けるものとしても良いことはもちろんである。
更に、櫛状の溝４３はその形成部分の肉厚を貫通するようにしても、肉厚を残すようにすなわち底部を有するように形成しても良い。部材の剛性を高く維持する必要がある場合には後者が好適である。
なお、第１５図及び第１６図に示すように、ストッパ４を上記とは異なりポンプヘッド３を内包し、ポンプヘッド３の外筒１９を挿入するよう筒状に構成するものとしても良い。第１５図において（ａ）は要部正面図及び（ｂ）はその中央縦断面図である。櫛状の溝４３はポンプヘッド３の外周に設けられていて、この溝４３に係合する突起４４はストッパ４の内周に内側に向いて設けられている。
【実施例６】
第１７図乃至第１９図はこのポンプの第６の実施例を示すものであり、第１７図において（ａ）は要部正面図及び（ｂ）はその中央縦断面図である。ストッパ４は連接管１８を内包する筒状体であり、その内部を連接管１８が摺動するようになっているとともに上部筒状部はポンプヘッド３内に挿入するようになっており、また下方には平面部３２を介して大径の筒状部３１がキャップ部材７を被覆するように設けられている。櫛状の溝４３はこのストッパ４の上部筒状部に設けられていて、この溝４３に係合する突起４４は連接管１８の上部外周に設けられている。第１８図に示す櫛状の溝４３は前実施例５と同様に形成されている。
第１９図は本実施例におけるこのポンプの作用を示すものである。図において（ａ）はストッパ４を最下降させた状態でポンプヘッド３の固定状態を示し、（ｂ）（ｃ）（ｄ）はそれぞれ吐出状態を示しており、（ｄ）は最大吐出量にストッパ４をセットした状態である。
本実施例におけるこのポンプ１の使用に際しては、ピストンヘッド３を手で持って固定しながらストッパ４を回転させて突起４４が連結溝４６内を自由にスライドする位置にし、ストッパ４の上部筒状部がポンプヘッド３から突出する量を選択するとともに突起嵌合部４５との適合位置に合わせたらストッパ４を回転させて突起４４を嵌合部４５に押し込み固定する。そしてポンプヘッド３をストッパ４の平面部３２の下面３３がキャップ部材７の上面２８に突き当たるまで（押し下げ量Ｌ）押し下げて内容物を吐出させればよい。
第２０図及び第２１図は上記実施例４乃至６に適用可能な櫛状の溝４３の他の構成例を示している。この場合において櫛状の溝４３は斜めに形成されている。櫛状の溝４３は、第２０図に示すように突起４４が嵌り合う嵌合部４５が斜め方向に少しずつ位置をずらして並列して設けられるとともにこれら嵌合部４５を連結する連結溝４６とで形成されている。突起４４はこの連結溝４６内をスライドさせて所望位置の嵌合部４５に適合せしめられる。嵌合部４５はその入り口付近の幅が若干絞られて、突起４４を押し込むようになっていると突起４４が嵌合部４５から外れ難くなるとともに節度感が生じて使いやすくなる。
第２１図はその適用例を示している。図中（ａ）はピストンヘッド３の外周に櫛状の溝４３を、ストッパ４の内周に突起４４を設けた場合であり、（ｂ）はその逆にピストンヘッド３の外周に突起４４を、ストッパ４の内周に櫛状の溝４３を設けた場合を示している。
【実施例７】
第２２図乃至第２４図はこのポンプの第７の実施例を示すものであり、第２２図において（ａ）はストッパ４を嵌め込んだポンプヘッド３の固定状態及び（ｂ）はストッパ４の斜視図である。ピストンヘッド３の下端には突条４７がほぼ全周にわたって設けられている。また、ストッパ４はＵ字形状をしており、その内面には上記突条４７に係合する条溝４８が並列に設けられていてこのストッパ４をピストンヘッド３に抜き差し可能に取り付けることができるようになっている。なお、下端にはストッパ４の剛性を高めるためのリブ４９を設けておくと良い。そして第２３図に示すようにこのストッパ４を横方向から上記突条４７と条溝４８とが係合するように嵌め込む。第２３図はそれぞれ（ａ）がポンプヘッド３の固定状態に、（ｂ）が最大吐出量状態にストッパ４をセットした状態をストッパ４の正面方向から見たものである。
なお、ストッパ４の条溝４８にはその山部の所望位置に隆起部分５０を相対位置に設けておくと良い。これはストッパ４の開口幅Ｗを若干絞り込んでおくことにより、ポンプヘッド３への嵌め合いを確実なものとし抜け難くするとともに装着時に節度感を与えるためのものである。
この実施例におけるポンプ１の使用に際しては、第２４図に示すようにポンプヘッド３の突条４７にストッパ４の所望条溝４８を適合させてストッパ４を嵌め込み、ストッパ４の下端２６がキャップ部材７の上面２８に突き当たるまで（押し下げ量Ｌ）押し下げて内容物を吐出させればよい。
この場合において、ストッパ４側に突条４７をピストン３側に条溝４８を設けるものとしても良いことはもちろんである。
【実施例８】
第２５図乃至２９はこのポンプの第８の実施例を示すものであり、第２５図において（ａ）はストッパ４を嵌め込んだ状態及び（ｂ）はその中央縦断面図である。この実施例においては、前記各実施例がポンプヘッド３の下端２６の位置を変更してポンプヘッド３の高さを伸縮させて押し下げ量を調整していたのに対し、連接管１８がポンプシリンダ９内に進入する量を規制することによりポンプの押し下げ量を規制しようとするものである。第２５図に示すように連接管１８には板状のストッパ４が嵌り合う全周に形成された条溝４８が並列に複数設けられている。第２６図は第２５図（ａ）におけるＢＢ断面図である。ストッパ４は第２５図及び第２６図に示すように板状に形成されていて、中央部に一部を開口して条溝４８の底部５１に適合する切り欠きを備えたほぼＣ字形状になっている。５２は脱着時に使用するつまみである。また、開口部５３部分は幾分開口幅を狭くしてストッパ４が条溝４８から容易に抜け落ちないようにすると良い。
第２７図は本実施例におけるこのポンプの作用を示すものである。図において（ａ）はストッパ４を最も低い位置にセットした状態でポンプヘッド３の固定状態を示し、（ｂ）（ｃ）（ｄ）はそれぞれ吐出状態を示しており、（ｄ）は最大吐出量にストッパ４をセットした状態である。
この実施例におけるポンプ１の使用に際しては、連接管１８の所望条溝４８にストッパ４を差し込み、ストッパ４の下端２６がキャップ部材７の上面２８に突き当たるまで（押し下げ量Ｌ）押し下げて内容物を吐出させればよい。
第２８図及び第２９図はストッパ４の他の形式を示すものである。第２８図は楕円形の弾性体からなるものであり、（ａ）に示すように楕円の短径部で条溝４８の底部５１を挟むようにして係止されている。そして第２８図（ｂ）に示すように長径部を指で押すと弾性変形することにより短径部の直径が拡がり連接管１８の直径よりも大きくなると移動可能となる。そして別の条溝４８に移動させて長径部の押え力を解放すれば再び短径部が縮まり条溝４８の底部５１を挟み付ける。
第２９図ははさみ式に形成されているものである。挟み付け部５４の一端にはレバー部５５が延設されていて図示しないバネにより挟み付け部５４が条溝４８の底部５１を挟み付けるように付勢している。レバー部５５を指でつまむとシーソー式に挟み付け部５４が開くので条溝４８の位置を自由に変更することができる。
以上実施例４乃至８に示したように、ポンプヘッド３の固定位置から最大量吐出位置までの移動量を任意に分割し、予め吐出量を設定しておくことで、必要量の選択は予め設定された係止位置に突起４４を合わせるだけで機械的に単純操作することが可能となる。
また、以上のような実施例においてはいずれもこの発明の作用効果を得るために必要最小限度の部品点数の追加で済むので、従来のポンプに比較しても著しいコストアップなしに最大限の作用効果を得ることができるものである。
【実施例９】
第３０図はこのポンプの第９の実施例を示すものである。本実施例においてはストッパの係合手段として係合穴５６と当該係合穴に適合する突起５７を採用している。この場合に示すように係合穴５６を固定側に複数個並列して設けるとともにストッパ４に突起５７を設けている。（ａ）は連接管１８に係合穴５６を設けた状態及び（ｂ）は系合穴５６に突起５７を適合させてストッパ４を固定させた状態を示している。突起５７はバネでストッパ４の中心方向に押し出されるように付勢しておくと良いが、ロック機構を備えてスライド式としても良い。そしてこの機構は上記全ての実施例に適用可能である。
【実施例１０】
第３１図及び第３２図はこのポンプの第１０の実施例を示すものであり、第３１図において（ａ）は要部正面図及び（ｂ）はその中央縦断面図である。ポンプヘッド３の押し下げ量を規制するストッパ４付近は部分的に切り取って図示している。
このポンプ１においては、上記筒状部材１９の上半分の外周には雄ねじ２４が形成されている。そしてこの雄ねじ２４に螺合する雌ねじ２５を中心部に備えたフラットな頂部３２を有する短い筒状部材で形成されたストッパ４が、上記キャップ部材７を覆うように設けられている。
ストッパ４はねじによってそれ自体を回動させることにより、筒状部材２２を回転軸としてポンプヘッド３の下端２７からキャップ部材７の上面２８までの間Ｌを筒状部材２２の長手方向に自在に移動可能である。つまり、ポンプヘッド３は押し下げられた際に、その下端２７がポンプヘッド３とともに下降（移動）しない容器本体の固定部材に設けられたストッパ４の上面３２に突き当たるまでの移動量を押し下げ量Ｌとして許容されることになる。
第３２図（ａ）乃至（ｄ）の各図はそれぞれストッパ４の異なる位置を示している。そして（ａ）に示すようにストッパ４を最上位にすると上面３２にポンプヘッド３の下端２７が当接するのでピストンは下降することができなくなり固定される。
以上のように構成したこのポンプ１の使用に際しては、第３２図各図に示す通りである。先ず（ａ）に示すようにストッパ４を最上位にすることによってポンプヘッド３の押し下げ量はゼロとなり固定することができるので、流通過程においての固定はもちろんのこと、使用中にあってもシリンダ９内に充填されている内容物を無駄に排出させる必要なくそのまま固定することが可能となる。
排出は（ｂ）乃至（ｄ）に示すようにキャップ部材７側面に設けた目盛２９にストッパ４の下端２６を合わせるようにストッパ４を回転させた後、手でポンプヘッド３をその下端２７がストッパ４の上面３２に突き当たるまで押し下げれば所望量の内容物が正確に計量されて吐出口８から排出される。第３２図中（ｄ）は最大吐出量の位置にストッパ４をセットした状態である。
【実施例１１】
第３３図はこのポンプの第１１の実施例を示しており、それぞれ（ａ）はポンプヘッド固定位置、（ｂ）は最大吐出量位置にストッパ４をセットした状態である。この実施例は上記実施例１０の構成に前記実施例４（第１１図）の窪み（ノッチ）４０とボール４１との構成を適合させたものであり、その作用効果は前記実施例１１と同じである。
【実施例１２】
第３４図はこのポンプの第１２の実施例を示しており、それぞれ（ａ）はポンプヘッド固定位置、（ｂ）は最大吐出量位置にストッパ４をセットした状態である。
この実施例では、キャップ部材７の外周に雄ネジ２４が形成されており、このキャップ部材７の雄ネジ２４に螺合する雌ネジ２５を内径に備えるとともにこのキャップ部材７を覆うように上部に平面部３２を備えたキャップ状に形成したストッパ４を使用している。ストッパ４の平面部３２がポンプヘッド３の下端２７とキャップ部材７の上面２８の間の範囲内で位置決めされて押し下げ量Ｌが無段階に設定される。そしてポンプヘッド３の下端２６がストッパ４の頂部２５に突き当たることにより移動量が規制される。
【実施例１３】
第３５図はこのポンプの第１３の実施例を示しており、それぞれ（ａ）はポンプヘッド固定位置、（ｂ）は最大吐出量位置にストッパ４をセットした状態である。
この実施例では、筒状部材２２の内周に雌ネジ２５が形成されており、この筒状部材２２の雌ネジ２５に螺合する雄ネジ２４を外径に備える筒状部６０とその上部にポンプヘッド３の下部を内包するカップ状部６１を備えたストッパ４を採用している。ストッパ４のカップ状部６１の底部６２がポンプヘッド３の下端２７とキャップ部材７の上面３２の間の範囲内で位置決めされて押し下げ量Ｌが無段階に設定される。
なお、ストッパ４の上部形状はカップ状ではなく、ポンプヘッド３の下端２７が突き当たる底部６２のみがあるものとしてもよいことはもちろんである。
【実施例１４】
第３６図及び第３７図はこのポンプの第１４の実施例を示すものである。第３６図はそれぞれ（ａ）はポンプヘッド固定位置、（ｂ）は最大吐出量位置にストッパ４をセットした状態である。
この実施例でも前記実施例１３同様に筒状部材２２の内周に雌ネジ２５が形成されており、この筒状部材２２の雌ネジ２５に螺合する雄ネジ２４を外径に備えるストッパ４を採用している。なお、雌ネジ２５はキャップ部材７に設けられることとしても良いことはもちろんである。
第３７図は、（ａ）はストッパ４の平面図及び（ｂ）は連接管１８の横断面図である。ストッパ４の内径には長手方向に複数（第３７図では４本）の突条４７が形成されているとともに、連接管１８の外周には、この突条４７に適合する条溝４８が形成されている。これらは逆の構成であってもよいことはもちろんである。そしてこの突条４７及び条溝４８が回り止めとなるとともに軌道となり、ストッパ４は連接管１８の外周を上下方向に摺動する。そして第３８図（ａ）に示すように筒状部材２２（またはキャップ部材７）に形成した雌ネジ２５と螺合させたときに、ポンプヘッド３を回動させると一緒に連接管１８が回動し、前記突条４７及び条溝４８によってストッパ４が供回りする。するとストッパ４がキャップ部材７の上面２８から出没自在となる。つまりポンプヘッド３の回転量によって吐出量は１滴から最大吐出量まで自由に設定することができる。なお、吐出量の目安としては連接管１８に目盛り２９を設けると良い。
この実施例におけるポンプ１の使用に際しては、ストッパ４に触れることなくポンプヘッド３を回転させ、連接管１８の目盛り２９をストッパ４の上端３０に合わせた後、ポンプヘッド３をその下端２７がストッパ４の上端３０に突き当たるまで押し下げればよい。
【実施例１５】
第３８図及び第３９図はこのポンプの第１５の実施例を示すものであり、第３８図において（ａ）はストッパ４を嵌め込んだ状態及び（ｂ）はその中央縦断面図である。第３８図に示すように筒状部材２２には板状のストッパ４が嵌り合う全周に形成された条溝４８が並列に複数設けられている。第３８図（ａ）におけるＤＤ断面図は前記第２６図とほぼ同じである。
第３９図は本実施例におけるこのポンプの作用を示すものである。図において（ａ）はストッパ４を最も高い位置にセットした状態でポンプヘッド３の固定状態を示し、（ｂ）（ｃ）（ｄ）はそれぞれ吐出状態を示しており、（ｄ）は最大吐出量にストッパ４をセットした状態である。
この実施例におけるポンプ１の使用に際しては、筒状部材２２の所望条溝４８にストッパ４を差し込み、ピストンヘッド３の下端２７がストッパ４の上面３２に突き当たるまで（押し下げ量Ｌ）押し下げて内容物を吐出させればよい。
ストッパ４の他の形式としてはここでも前記第２８図及び第２９図に示すものが利用可能である。また、第４０図に示すようにストッパ４をキャップ部材７を覆うように形成し、キャップ部材７に目盛りを設けるようにすることとしても良い。
また、この場合においても前記第３０図に示すストッパを利用することができる。
【実施例１６】
第４１図乃至第４３図はこのポンプの第１６の実施例を示すものであり、第４１図はストッパ４を嵌め込む状態を示している。キャップ部材７の側面には突条４７がほぼ全周にわたって複数並列に設けられている。また、ストッパ４はＵ字形状をしており、その内面には上記突条４７に係合する条溝４８が設けられていてこのストッパ４をキャップ部材７に抜き差し可能に取り付けることができるようになっている。なお、ストッパ４の上端にはストッパ４の剛性を高めるためのリブ４９を設けておくと良い。そして第４１図に示すようにこのストッパ４を横方向から上記突条４７と条溝４８とが係合するように嵌め込む。第４２図はポンプヘッド３の固定状態にストッパ４をセットした状態を示しており、それぞれ（ａ）が、ストッパ４の側面方向から見たものであり、（ｂ）がストッパ４の正面方向から見たものである。
この実施例におけるポンプ１の使用に際しては、キャップ部材７の所望突条４７にストッパ４の条溝４８を適合させてストッパ４を嵌め込み、ポンプヘッド３の下端２７がストッパ４の上面３２に突き当たるまで（押し下げ量Ｌ）押し下げて内容物を吐出させればよい。
この場合において、第４３図に示すようにキャップ部材７側の突条４７が少なく、ストッパ４側の条溝４８が複数であっても良い。また、ストッパ４側に突条４７をキャップ部材７側に条溝４８を設けるものとしても良いことはもちろんである。
【実施例１７】
第４４図乃至第４６図はこのポンプの第１７の実施例を示すものであり、第４４図において（ａ）は要部正面図及び（ｂ）はその中央縦断面図である。ストッパ４には櫛状の溝４３が設けられていて、また筒状部材２２の上部外側にこの溝４３に係合する突起４４が設けられている。これら櫛状の溝４３及び突起４４の構成は前記実施例５と同様である。また、図ではストッパ４の下部はキャップ部材７を被覆するようにキャップ状に形成されているが必ずしもキャップ状になっている必要はなく、下端はフラットになっているだけでも良い。
第４６図は本実施例におけるこのポンプの作用を示すものである。図において（ａ）はストッパ４を最上昇させた状態でポンプヘッド３の固定状態を示し、（ｂ）（ｃ）（ｄ）はそれぞれ吐出状態を示しており、（ｄ）は最大吐出量にストッパ４をセットした状態である。
本実施例におけるこのポンプ１の使用に際しては、ストッパ４を回転させて突起４４が連結溝４６内を自由にスライドする位置にし、ストッパ４の上面３２とポンプヘッド３の下端２７との距離Ｌを選択するとともに嵌合溝４５との適合位置に合わせたらストッパ４を回転させて嵌合溝４５に押し込み固定する。そしてポンプヘッド３の下端２７がストッパ４の上面３２に突き当たるまで（押し下げ量Ｌ）押し下げて内容物を吐出させればよい。
【実施例１８】
第４７図乃至第４９図はこのポンプの第１８の実施例を示すものであり、第４７図において（ａ）は要部正面図及び（ｂ）はその中央縦断面図である。本実施例もストッパ４とキャップ状部材７との間に前記実施例５と同様の櫛状の溝４３と突起４４との構成を有している。第４８図中３８は筒状部材１９が貫通する貫通穴である。
第４９図は本実施例におけるこのポンプの作用を示すものである。第４９図において（ａ）はストッパ４を最上昇させた状態でポンプヘッド３の固定状態を示し、（ｂ）（ｃ）（ｄ）はそれぞれ吐出状態を示しており、（ｄ）は最大吐出量にストッパ４をセットした状態である。
本実施例におけるこのポンプ１の使用に際しては、前記実施例５と同様に突起４４を所望嵌合溝４５の位置に合わせ、ポンプヘッド３の下端２７がストッパ４の上面３２に突き当たるまで（押し下げ量Ｌ）押し下げて内容物を吐出させれば良い。
【実施例１９】
第５０図乃至第５２図はこのポンプの第１９の実施例を示すものであり、第５０図において（ａ）は要部正面図及び（ｂ）はその中央縦断面図である。ストッパ４は下方が筒状であるとともに上方にポンプヘッド３の下部を内包するようにキャップ状に形成されている。ストッパの筒状部は連接管１８を内部に挿入するとともにそれ自体は筒状部材２２内に挿入されるようになっているとともに櫛状の溝４３が設けられている。本実施例では筒状部材２２の上方立ち上がり部はなく上端はフランジ部１０で終わっている。第５１図（ａ）は第５０図（ａ）におけるＥＥ横断面図である。キャップ部材の上面２８中央には貫通穴３８が設けられているとともに上記櫛状の溝４３に係合する突起４４が内周に突設している。
第５２図は本実施例におけるこのポンプの作用を示すものである。図において（ａ）はストッパ４を最上昇させた状態でポンプヘッド３の固定状態を示し、（ｂ）（ｃ）（ｄ）はそれぞれ吐出状態を示しており、（ｄ）は最大吐出量にストッパ４をセットした状態である。
本実施例におけるこのポンプの使用に際しても、突起４４を所望嵌合溝４５の位置に合わせてポンプヘッド３を押し下げればよい。
第５３図及び第５４図は上記櫛状の溝４３の他の構成例を示している。この場合において櫛状の溝４３は斜めに形成されている。櫛状の溝４３は、第５３図に示すように突起４４が嵌り合う嵌合溝４５が斜め方向に少しずつ位置をずらして並列して設けられるとともにこれら嵌合溝４５を連結する連結溝４６とで形成されている。突起４４はこの連結溝４６内をスライドさせて所望位置の嵌合溝４５に適合せしめられる。
第５４図はその適用例を示している。この場合キャップ部材７の外周に櫛状の溝４３を、ストッパ４の内周に突起４４を設けるものとしても、その逆にキャップ部材７の外周に突起４４を、ストッパ４の内周に櫛状溝４３を設けるものとしてもよい。
以上示したように、ポンプヘッド３の固定位置から最大量吐出位置までの移動量を任意に分割し、予め吐出量を設定しておくことで、必要量の選択は予め設定された係止位置にストッパ４を合わせるだけで機械的に単純操作することが可能となる。
【実施例２０】
第５５図及び第５６図はこのポンプの第２０の実施例を示すものであり、第５５図において（ａ）は要部正面図及び（ｂ）はその中央縦断面図である。
このポンプにおいては、上記筒状部材２２のフランジ部１０の上に形成した筒上部７４の外周には突起４４が形成されている。そしてこの突起４４に係合する縦溝７０が、上記ポンプヘッド３の外筒１９に異なる長さのものが複数（第５７図では３本）設けられ、突起４４とともにストッパを構成している。ポンプヘッド３は回動自在であるので、この縦溝７０を任意に突起４４の係合位置に合わせることができる。そして、突起４４の上端が縦溝７０の上端７１に当るまでの距離Ｌがピストン押し下げ量となる。第５５図では３本の縦溝なので、３段階に吐出量を調整することができる。
また、この縦溝７０は、第５５図に示すようにポンプヘッド３の外筒１９の肉厚を貫通するようにスリット状に形成するものとしても、また肉厚を厚くして外筒１９の内壁に縦溝７０が外側に露出しないよう深さを有するものとしても良いことはもちろんであり、この外筒１９の剛性が著しく低下しない範囲内で縦溝７０の数を設定することができる。つまりポンプヘッド３の下端２７が突起４４と接する位置では、ピストン３の下降が規制され、またこの下端２７がキャップ部材７の上端２８と当接する位置まで押し下げた状態が最大吐出量であるので、その間を予定する吐出量に応じて縦溝７０の配置を適宜振り分ければよい。
以上のように構成したこのポンプの使用に際しては、第５６図（ａ）乃至（ｄ）各図に示す通りである。先ず（ａ）に示すようにポンプヘッド３を最上位位置で固定することができるので、流通過程においての固定はもちろんのこと、使用中にあってもシリンダ９内に充填されている内容物を無駄に排出させる必要なくそのまま固定することが可能となる。
排出は（ｂ）乃至（ｄ）に示すように突起４４と所望の縦溝７０を係合位置に合わせるようにポンプヘッド３を回転させた後、手でポンプヘッド３を突起４４の上端が縦溝７０の上端７１に突き当たるまで押し下げれば所望量の内容物が正確に計量されて吐出口８から排出される。第５６図中（ｄ）は最大吐出量の位置にストッパをセットした状態である。このポンプでは、突起４４が縦溝７０を摺動ガイドとしているので押し下げの際にポンプヘッド３が回っても、階段を外れるようにストップ位置が変動してしまうようなことはなく、設定した吐出量をきわめて安定して高精度に計量排出することが可能となる。
【実施例２１】
第５７図はこの発明のポンプの第２１の実施例を示すものであり、（ａ）はこのポンプ１を備えた液体容器の要部正面図であり、（ｂ）はその要部縦断面図である。
このポンプ１においては、ポンプヘッド３が挿入されるようにポンプヘッド３よりも大径の筒状部材７２がキャップ部材７の上方に設けられている。これらは一体のものとなっていても良い。そしてポンプヘッド３の下端付近の外周には突起４４が形成されている。そしてこの突起４４に係合する縦溝７０が、上記筒状部材７２に異なる長さのものが複数（第５７図では３本）設けられ、突起４４とともにストッパを構成している。この場合においてシリンダ９から上方に立設している筒状部材２２はフランジ部１０より上の筒状部７４はなくても良い。
以上のように構成したこのポンプ１の使用に際しても、第５８図に示すように前記実施例２０と同様突起４４と所望の縦溝７０を係合位置に合わせるようにポンプヘッド３を回転させた後、手でポンプヘッド３を突起４４の下端が縦溝７０の下端７３に突き当たるまで押し下げれば良い。
【実施例２２】
第５９図はこの発明のポンプの第２２の実施例を示すものであり、（ａ）はこのポンプ１を備えた液体容器の要部正面図であり、（ｂ）はその要部縦断面図である。
このポンプ１においては、溝と突起による構成は前記実施例２１と同様であるが、上記筒状部材２２を内包するとともにポンプヘッド３の外筒１９の内壁をガイドする筒状部材７２がキャップ部材７と一体に形成されている。この場合上記筒状部材２２はその内径でポンプヘッド３の内筒２０をガイドするように機能させても良い。
【実施例２３】
第６０図はこの発明のポンプの第２３の実施例を示すものであり、（ａ）はこのポンプ１を備えた液体容器の要部正面図であり、（ｂ）はその要部縦断面図である。
このポンプ１においては、前記実施例３に示した筒状部材１９のフランジ部１０よりも上の筒状部はなく、ポンプヘッド３の内筒外壁をガイドする筒状部材７２がキャップ部材７と一体に形成されている。あるいはこの筒状部材７２に代えて筒状部材２２はその内径でポンプヘッド３の内筒をガイドするように機能させるものとしてほぼ同様の構成としても良い。そしてポンプヘッド３の内筒２０下端付近の外周には突起４４が形成されている。そしてこの突起４４に係合する縦溝７０が、上記筒状部材７２に異なる長さのものが複数（第６０図では３本）設けられ、突起４４とともにストッパを構成している。
以上のように構成したこのポンプ１の使用に際しては、前記第５８図と同様である。
なお、第６１図はポンプヘッド３を下降させた状態で上昇を規制する場合の１手段を示している。すなわち縦溝７０の下端を横方向に延ばしてＬ字状にすることにより、ポンプヘッド３を押し下げて更に突起４４がこの横溝７５に係合するように回転させれば上昇が規制されロックされる。
産業上の利用可能性
以上のように構成したこの発明の吐出量の定量計量機能を備えたポンプによれば、ポンプヘッドを固定するためにポンプヘッドを押し込んでポンプシリンダ内に溜まっている内容物を排出するような必要がないために、無駄な吐出を防止して確実にポンプヘッドの固定ができる。そして、固定から最大吐出量まで自由に吐出量の調整ができることから、簡単に計量吐出が可能である。更に設定がきわめて簡単であるにもかかわらずその精度は高く、設定の継続も容易である。
また、この発明の吐出量の定量計量機能を備えたポンプによれば、無駄な吐出を防止して確実にポンプヘッドの固定ができる。また、固定から最大吐出量まで段階的に吐出量の計量が調整可能であるとともに、更に設定がきわめて簡単であるにもかかわらずその精度は高い。
そして、従来技術では困難であった、無駄な吐出を不要とするポンプヘッドの固定と無段階の吐出量調整が簡単な機構により両立させることができる。
しかも、この発明の作用効果を得るために必要最小限度の部品点数の追加で済むので、従来のポンプに比較しても、著しいコストアップなしに最大限の作用効果を得ることができるものである。そしてポンプの容器内容物吐出機構そのものには手を加えずに構成可能であるので、現在使用されているこの種ポンプの一部の部品を交換する程度で成立するので、その利用性・汎用性がきわめて高いものである。
【図面の簡単な説明】
第１図はこの発明の第１の実施例を示すポンプ付き容器の一部断面の正面図である。第２図はその中央縦断面図である。第３図はその作用を示す要部正面図であり、（ａ）はポンプヘッド固定状態、（ｂ）は最大吐出量状態を示す。第４図はこのポンプのストッパの他の例における作用を示す要部正面図であり、（ａ）はポンプヘッド固定状態、（ｂ）は最大吐出量状態を示す。第５図この発明の第２の実施例を示す要部正面図である。第６図（ａ）及び（ｂ）はポンプヘッドの一部断面図である。第７図はストッパの他の例を示すピストンヘッドの一部断面図である。第８図（ａ）及び（ｂ）は平面部の形状例を示す概念図である。第９図はストッパの他の例を示すピストンヘッドの一部断面図である。第１０図はこの発明の第３の実施例を示す要部断面図であり、（ａ）はポンプヘッド固定状態及び（ｂ）は最大吐出量を示す。第１１図はこの発明の第４の実施例を示す（ａ）一部断面の要部正面図及び（ｂ）ＡＡ断面図である。第１２図はこの発明の第５の実施例を示す（ａ）要部正面図及び（ｂ）要部中央縦断面図である。第１３図はそのストッパと櫛形の溝を示す斜視図である。第１４図（ａ）乃至（ｄ）はその作用を示す要部正面図である。第１５図はストッパの他の構成例を示す（ａ）要部正面図及び（ｂ）要部中央縦断面図である。第１６図はそのストッパと櫛形の溝を示す斜視図である。
第１７図はこの発明の第６の実施例を示す（ａ）要部正面図及び（ｂ）要部中央縦断面図である。第１８図はそのストッパと櫛形の溝を示す斜視図である。第１９図（ａ）乃至（ｄ）はその作用を示す要部正面図である。第２０図は櫛形の溝の他の例を示す概念図である。第２１図（ａ）及び（ｂ）はその構成例を示す要部正面図である。
第２２図はこの発明の第７の実施例を示す（ａ）要部正面図及び（ｂ）ストッパ斜視図である。第２３図はそのストッパの装着状態を示す要部正面図である。第２４図（ａ）及び（ｂ）はその作用を示す要部側面図である。第２５図はこの発明の第８の実施例を示す（ａ）要部正面図及び（ｂ）要部中央縦断面図である。第２６図（ａ）及び（ｂ）はそのストッパの装着状態を示す横断面図である。第２７図（ａ）乃至（ｄ）はその作用を示す要部正面図である。第２８図（ａ）乃至（ｄ）はストッパの他の例を示す概念図である。第２９図（ａ）乃至（ｄ）はストッパの他の例を示す概念図である。第３０図（ａ）及び（ｂ）は第９の実施例としてのストッパの他の係合方法を示す概念図である。第３１図はこの発明の第１０の実施例を示すポンプ付き容器の一部断面の正面図である。第３２図（ａ）乃至（ｄ）はその作用を示す一部断面の要部正面図である。第３３図はこの発明の第１１の実施例を示す一部断面の要部正面図であり、（ａ）はピストン固定位置、（ｂ）は最大量吐出位置を示す。第３４図はこの発明の第１２の実施例を示す一部断面の要部正面図であり、（ａ）はピストン固定位置、（ｂ）は最大量吐出位置を示す。
第３５図はこの発明の第１３の実施例を示す一部断面の要部正面図である。（ａ）はピストン固定位置及び（ｂ）は最大量吐出位置を示す。第３６図はこの発明の第１４の実施例を示す（ａ）はポンプヘッド固定位置、（ｂ）は最大吐出量位置にストッパ４をセットした状態を示す要部縦断面図である。第３７図（ａ）はストッパ４の平面図及び（ｂ）は連接管１８の横断面図である。第３８図はこの発明の第１５の実施例を示す（ａ）要部正面図及び（ｂ）要部中央縦断面図である。第３９図（ａ）乃至（ｄ）はその作用を示す要部正面図である。第４０図（ａ）乃至（ｄ）はストッパの他の例を示す概念図である。第４１図はこの発明の第１７の実施例を示す。第４２図（ａ）及び（ｂ）はそのストッパの装着状態を示す正面図及び側面図である。第４３図（ａ）及び（ｂ）はそのストッパの他の構成例を示す正面図及び側面図である。第４４図はこの発明の第１７の実施例を示す（ａ）要部正面図及び（ｂ）要部中央縦断面図である。第４５図はそのストッパと櫛形の溝を示す斜視図である。第４６図（ａ）乃至（ｄ）はその作用を示す要部正面図である。第４７図はこの発明の第１８の実施例を示す（ａ）要部正面図及び（ｂ）要部中央縦断面図である。第４８図はそのストッパと櫛形の溝を示す斜視図である。第４９図（ａ）乃至（ｄ）はその作用を示す要部正面図である。第５０図はこの発明の第１９の実施例を示す（ａ）要部正面図及び（ｂ）要部中央縦断面図である。第５１図（ａ）及び（ｂ）はそのストッパと櫛形の溝を示す横断面図及び斜視図である。第５２図（ａ）乃至（ｄ）は第１９の実施例の作用を示す要部正面図である。第５３図は櫛形の溝の他の例を示す概念図である。第５４図（ａ）及び（ｂ）はその構成例を示す要部正面図である。第５５図はこの発明の第２０の実施例を示す（ａ）要部正面図及び（ｂ）要部中央縦断面図である。第５６図（ａ）乃至（ｄ）はその作用を示す要部断面図である。第５７図はこの発明の第２１の実施例を示すものであり、（ａ）は正面図、（ｂ）は縦断面図を示す。第５８図（ａ）乃至（ｄ）はその作用を示す要部断面図である。第５９図はこの発明の第２２の実施例を示すものであり、（ａ）は正面図、（ｂ）は縦断面図を示す。第６０図はこの発明の第２３の実施例を示すものであり、（ａ）は正面図、（ｂ）は縦断面図を示す。第６１図はストッパの形成例を示す要部正面図である。第６２図は従来のポンプヘッド固定手法を示す概念図である。
【図１】
2003048002.tif 000003
【図２】
2003048002.tif 000004
【図３】
2003048002.tif 000005
【図４】
2003048002.tif 000006
【図５】
2003048002.tif 000007
【図６】
2003048002.tif 000008
【図７】
2003048002.tif 000009
【図８】
2003048002.tif 000010
【図９】
2003048002.tif 000011
【図１０】
2003048002.tif 000012
【図１１】
2003048002.tif 000013
【図１２】
2003048002.tif 000014
【図１３】
2003048002.tif 000015
【図１４】
2003048002.tif 000016
【図１５】
2003048002.tif 000017
【図１６】
2003048002.tif 000018
【図１７】
2003048002.tif 000019
【図１８】
2003048002.tif 000020
【図１９】
2003048002.tif 000021
【図２０】
2003048002.tif 000022
【図２１】
2003048002.tif 000023
【図２２】
2003048002.tif 000024
【図２３】
2003048002.tif 000025
【図２４】
2003048002.tif 000026
【図２５】
2003048002.tif 000027
【図２６】
2003048002.tif 000028
【図２７】
2003048002.tif 000029
【図２８】
2003048002.tif 000030
【図２９】
2003048002.tif 000031
【図３０】
2003048002.tif 000032
【図３１】
2003048002.tif 000033
【図３２】
2003048002.tif 000034
【図３３】
2003048002.tif 000035
【図３４】
2003048002.tif 000036
【図３５】
2003048002.tif 000037
【図３６】
2003048002.tif 000038
【図３７】
2003048002.tif 000039
【図３８】
2003048002.tif 000040
【図３９】
2003048002.tif 000041
【図４０】
2003048002.tif 000042
【図４１】
2003048002.tif 000043
【図４２】
2003048002.tif 000044
【図４３】
2003048002.tif 000045
【図４４】
2003048002.tif 000046
【図４５】
2003048002.tif 000047
【図４６】
2003048002.tif 000048
【図４７】
2003048002.tif 000049
【図４８】
2003048002.tif 000050
【図４９】
2003048002.tif 000051
【図５０】
2003048002.tif 000052
【図５１】
2003048002.tif 000053
【図５２】
2003048002.tif 000054
【図５３】
2003048002.tif 000055
【図５４】
2003048002.tif 000056
【図５５】
2003048002.tif 000057
【図５６】
2003048002.tif 000058
【図５７】
2003048002.tif 000059
【図５８】
2003048002.tif 000060
【図５９】
2003048002.tif 000061
【図６０】
2003048002.tif 000062
【図６１】
2003048002.tif 000063
【図６２】
2003048002.tif 000064
【国際調査報告】
2003048002.tif 000065
2003048002.tif 000066
2003048002.tif 000067
2003048002.tif 000068
2003048002.tif 000069